(57)【要約】  【課題】  原稿の一回の搬送にて両面の画像を読み取る両面読取装置において、小型化及び低コスト化を図る。  【解決手段】  原稿搬送路２９に設けた１個の原稿センサ４４で原稿の先端を検知したタイミングに基づいて、第１光学ユニット４０による原稿の表面の読取開始タイミングを制御すると共に、第２光学ユニット５０による原稿の裏面の読取開始タイミングを制御する。また、原稿センサ４４で原稿の後端を検知したタイミングに基づいて、第１光学ユニット４０による原稿の表面の読取終了タイミングを制御すると共に、第２光学ユニット５０による原稿の裏面の読取終了タイミングを制御する。【選択図】      図２
2005072761.tif 000002
【特許請求の範囲】
【請求項１】
原稿の一回の搬送にて前記原稿の表面の画像と裏面の画像とを夫々異なる位置で読み取る両面読取装置において、搬送される原稿を検知する１個の原稿センサと、該原稿センサでの検知結果に基づいて前記原稿の表面の画像及び裏面の画像の読取り開始タイミングを制御する制御手段とを備えることを特徴とする両面読取装置。
【請求項２】
前記制御手段は、前記原稿センサでの検知結果に基づいて前記原稿の表面の画像及び裏面の画像の読取り終了タイミングを制御するようにしてあることを特徴とする請求項１記載の両面読取装置。
【請求項３】
前記原稿センサは、搬送される原稿の先端及び後端を検知し、前記制御手段は、前記原稿の先端の検知結果に基づいて前記読取り開始タイミングを制御し、前記原稿の後端の検知結果に基づいて前記読取り終了タイミングを制御するようにしてあることを特徴とする請求項２記載の両面読取装置。
【発明の詳細な説明】
【技術分野】
【０００１】
本発明は、原稿の一回の搬送にて原稿の表面及び裏面の画像を読み取る両面読取装置に関する。
【背景技術】
【０００２】
ファクシミリ装置、ディジタル複写機などの読取装置において、原稿の表面及び裏面の画像を読み取れるようにしたものがある。このような両面読取装置における従来の一般的な構成では、１回目の原稿の搬送にてその表面の画像を読み取った後、原稿の表裏を反転させて再度原稿を搬送させてその裏面の画像を読み取るようにしている。また、このように二回の搬送を行うのではなく、一回の搬送にて原稿の表面及び裏面の画像を読み取るように構成した両面読取装置も知られている（例えば、特許文献１参照）。
【０００３】
このような両面読取装置では、原稿搬送路の下方に設けたＣＣＤイメージセンサを含む光学ユニットにて原稿の表面の画像を読み取り、原稿搬送路の上方に設けたＣＩＳ（Contact Image Sensor）を含む光学ユニットにて原稿の裏面の画像を読み取る構成とすることにより、原稿の表裏反転動作を行うことなく、一回の搬送にて原稿の表面及び裏面の画像を読み取ることができる。この場合、裏写りを防止するために、表面の画像の読取位置（表面読取位置）と裏面の画像の読取位置（裏面読取位置）とは異ならせておくことが一般的である。
【特許文献１】特開平９−２０５５２９号公報
【発明の開示】
【発明が解決しようとする課題】
【０００４】
このような一回の搬送にて両面の画像を読み取る両面読取装置にあっては、表面読取位置が裏面読取位置より上流側に存在する場合、原稿搬送路での表面読取位置の上流側に原稿を検知する第１の原稿センサを設けて、その第１の原稿センサでの検知結果に基づいて表面の画像の読取り開始のタイミングを制御すると共に、原稿の搬送路での表面読取位置と裏面読取位置との間に原稿を検知する第２の原稿センサを設けて、その第２原稿センサでの検知結果に基づいて裏面の画像の読取り開始のタイミングを制御することが従来から行われている。両面読取装置にあっては装置構成の小型化及び低コスト化が望まれているが、この従来例では２個の原稿センサが必要であり、小型化及び低コスト化の要求を満たしていないという問題がある。
【０００５】
本発明は斯かる事情に鑑みてなされたものであり、原稿の一回の搬送にて両面の画像を読み取る両面読取装置であって、その装置構成の小型化及び低コスト化を図れる両面読取装置を提供することを目的とする。
【課題を解決するための手段】
【０００６】
請求項１に係る両面読取装置は、原稿の一回の搬送にて前記原稿の表面の画像と裏面の画像とを夫々異なる位置で読み取る両面読取装置において、搬送される原稿を検知する１個の原稿センサと、該原稿センサでの検知結果に基づいて前記原稿の表面の画像及び裏面の画像の読取り開始タイミングを制御する制御手段とを備えることを特徴とする。
【０００７】
請求項１にあっては、搬送される原稿を検知する１個の原稿センサを原稿搬送路に設け、その原稿センサでの検知結果に基づいて、表面の画像の読取り開始タイミングを制御すると共に、裏面の画像の読取り開始タイミングを制御する。よって、１個の原稿センサを設けるだけで良いので、２個の原稿センサを設けた従来例に比べて、小型化及び低コスト化を図れる。
【０００８】
請求項２に係る両面読取装置は、請求項１において、前記制御手段は、前記原稿センサでの検知結果に基づいて前記原稿の表面の画像及び裏面の画像の読取り終了タイミングを制御するようにしてあることを特徴とする。
【０００９】
請求項２にあっては、原稿搬送路に設けた１個の原稿センサでの検知結果に基づいて、表面の画像の読取り終了タイミングを制御すると共に、裏面の画像の読取り終了タイミングを制御する。よって、次の原稿に対する読取処理を迅速かつ確実に行える。
【００１０】
請求項３に係る両面読取装置は、請求項２において、前記原稿センサは、搬送される原稿の先端及び後端を検知し、前記制御手段は、前記原稿の先端の検知結果に基づいて前記読取り開始タイミングを制御し、前記原稿の後端の検知結果に基づいて前記読取り終了タイミングを制御するようにしてあることを特徴とする。
【００１１】
請求項３にあっては、原稿の先端を検知したタイミングに基づいて、表面の画像の読取り開始タイミングを制御すると共に、裏面の画像の読取り開始タイミングを制御し、また、原稿の後端を検知したタイミングに基づいて、表面の画像の読取り終了タイミングを制御すると共に、裏面の画像の読取り終了タイミングを制御する。よって、簡便かつ正確に、これらの開始タイミング及び終了タイミングを制御できる。
【発明の効果】
【００１２】
本発明では、搬送される原稿を検知する１個の原稿センサでの検知結果に基づいて、原稿の表面の画像及び裏面の画像夫々の読取り開始タイミングを制御するようにしたので、従来例に比べて小型化及び低コスト化を図ることができる。
【００１３】
また、本発明では、１個の原稿センサでの検知結果に基づいて、原稿の表面の画像及び裏面の画像夫々の読取り終了タイミングも制御するようにしたので、次の原稿に対する読取処理を迅速かつ確実に行うことができる。
【００１４】
更に、本発明では、１個の原稿センサでの原稿の先端の検知結果に基づいて原稿の表面の画像及び裏面の画像の読取り開始タイミングを制御し、原稿の後端の検知結果に基づいて原稿の表面の画像及び裏面の画像の読取り終了タイミングを制御するようにしたので、それらの各タイミングを簡便かつ正確に制御することができる。
【発明を実施するための最良の形態】
【００１５】
以下、本発明をその実施の形態を示す図面を参照して具体的に説明する。図１は、本発明の両面読取装置としてのファクシミリ複合装置１００の構成を示すブロック図である。
【００１６】
ファクシミリ複合装置１００は、制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２などを備えている。ファクシミリ複合装置１００は、読取部２にて原稿を読み取って画像データを得る読取機能、読み取った画像データ、ファクシミリ通信により受信した画像データ、またはＰＣインタフェース部１２を介してＰＣから受信した画像データに応じた画像を記録部３にて記録する記録機能、及び、読み取った画像データまたは受信した画像データをファクシミリ送信する送信機能を併せ持っている。
【００１７】
制御部１は、具体的にはＣＰＵで構成されており、バス１３を介してファクシミリ複合装置１００の上述したようなハードウェア各部と接続されていて、それらを制御すると共に、ＲＯＭ７に格納された制御プログラムに従って、種々のソフトウェア的機能を実行する。
【００１８】
読取部２は、例えばＣＣＤイメージセンサ，ＣＩＳを利用して原稿を読み取り、読み取った画像データを出力する。また、読取部２は、一回の原稿の搬送にて、その原稿の表面及び裏面の画像の読取りが可能である。図２は、読取部２の構成を示す概略図である。読取部２は、ＡＤＦ（Auto Document Feeder）２０と、ＡＤＦ２０の下方に設けられた第１光学ユニット４０と、ＡＤＦ２０の内部に設けられた第２光学ユニット５０とを有する。
【００１９】
ＡＤＦ２０内には、原稿給紙口３１から原稿排紙口３２まで一連の原稿搬送路２９が形成されている。原稿給紙口３１の外側にはシート状の複数の原稿を載置する原稿トレイ２１が設けられており、原稿トレイ２１には、その上に載置された原稿の長さを検知する長さセンサ４１，４１が設けられている。原稿給紙口３１の近傍には、ピックアップローラ２２及び分離ローラ２３が上流側からこの順に配設されている。分離ローラ２３の原稿搬送路２９対向側には分離パッド２４が設けられており、ピックアップローラ２２と分離ローラ２３との間には原稿の有無を検知する有無センサ４２が設けられ、分離ローラ２３の少し下流側には原稿の幅を検知する幅センサ４３が設けられている。
【００２０】
原稿搬送路２９の中流域から下流域にかけての複数箇所に、原稿の搬送を制御するレジストローラ２５が設けられている。これらのレジストローラ２５の回転は、モータ３０によって駆動されている。そして、レジストローラ２５の回転速度、つまり原稿の搬送速度は、制御部１からの制御パルスに基づくモータ３０の回転駆動に応じて制御される。
【００２１】
原稿搬送路２９の中流域にはその上側に第１原稿圧接ローラ２６が設けられている。また、原稿搬送路２９を挟んで第１原稿圧接ローラ２６に対向する位置には、光源，ＣＣＤイメージセンサ等を含む第１光学ユニット４０が配設されている。そして、この第１原稿圧接ローラ２６及び第１光学ユニット４０が対向する位置が表面読取位置であり、搬送された原稿の表面の画像がこの表面読取位置で第１光学ユニット４０によって読み取られるようになっている。原稿搬送路２９の下流域にはその下側に第２原稿圧接ローラ２７が設けられている。また、原稿搬送路２９を挟んで第２原稿圧接ローラ２７に対向する位置には、光源，ＣＩＳ等を含む第２光学ユニット５０が配設されている。そして、この第２原稿圧接ローラ２７及び第２光学ユニット５０が対向する位置が裏面読取位置であり、搬送された原稿の裏面の画像がこの裏面読取位置で第２光学ユニット５０によって読み取られるようになっている。
【００２２】
原稿搬送路２９の表面読取位置の上流側には、片面読取り時及び両面読取り時に搬送される原稿の先端及び後端を検知する原稿センサ４４が設けられている。原稿排紙口３２の近傍には排紙ローラ２８が設けられている。
【００２３】
更に、読取部２は、原稿の先端が原稿センサ４４で検知されてから後のモータ３０の制御パルスを計数する第１パルスカウンタ２ａと、原稿の後端が原稿センサ４４で検知されてから後のモータ３０の制御パルスを計数する第２パルスカウンタ２ｂとを備えている（図１参照）。
【００２４】
このような構成を有する読取部２にあって、原稿トレイ２１に載置された原稿は、原稿給紙口３１からピックアップローラ２２及び分離ローラ２３により１枚ずつ分離されて搬送され、原稿搬送路２９を通り、レジストローラ２５によって更に搬送される。そして、片面（表面）のみの画像を読み取るモード（片面読取モード）が選択されている場合には、第１光学ユニット４０によって、搬送される原稿の表面の画像が読み取られる。一方、両面（表面及び裏面）の画像を読み取るモード（両面読取モード）が選択されている場合には、第１光学ユニット４０によって、搬送される原稿の表面の画像が読み取られた後、更に、第２光学ユニット５０によって、搬送される原稿の裏面の画像が読み取られる。
【００２５】
そして、片面読取り時には、原稿センサ４４での原稿の先端の検知タイミングと第１パルスカウンタ２ａの計数値とに基づいて、第１光学ユニット４０による片面（表面）の読取開始タイミングを制御し、原稿センサ４４での原稿の後端の検知タイミングと第２パルスカウンタ２ｂの計数値とに基づいて、第１光学ユニット４０による片面（表面）の読取終了タイミングを制御する。また、両面読取り時には、原稿センサ４４での原稿の先端の検知タイミングと第１パルスカウンタ２ａの計数値とに基づいて、第１光学ユニット４０による表面の読取開始タイミング及び第２光学ユニット５０による裏面の読取開始タイミングを制御し、原稿センサ４４での原稿の後端の検知タイミングと第２パルスカウンタ２ｂの計数値とに基づいて、第１光学ユニット４０による表面の読取終了タイミング及び第２光学ユニット５０による裏面の読取終了タイミングを制御する。
【００２６】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。表示部４は、液晶表示装置またはＣＲＴディスプレイ等の表示装置であり、ファクシミリ複合装置１００の動作状態を表示したり、ユーザへ操作入力を促す画面を表示したり、送信すべく読み取った原稿の画像データ、他のファクシミリ装置またはＰＣから送信された画像データなどの表示を行う。
【００２７】
操作部５は、ファクシミリ複合装置１００を操作するために必要な文字キー，テンキー，短縮ダイヤルキー，ワンタッチダイヤルキー，各種のファンクションキーなどを備えている。操作部５は、ファンクションキーとして、片面読取モードまたは両面読取モードのいずれかをユーザが選択するための読取モード選択キー５ａを有する。なお、表示部４をタッチパネル方式とすることにより、操作部５の各種のキーの内の一部または全部を代用することも可能である。
【００２８】
符号化・復号化部６は、画像データを符号化圧縮すると共に、符号化圧縮されている画像データを復号する。ＲＯＭ７は、ファクシミリ複合装置１００の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００２９】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との回線Ｌ１の閉結及び開放の動作を行うハードウェアであり、必要に応じてモデム１０をＰＳＴＮと接続する。そして、ファクシミリ複合装置１００は、ＰＳＴＮによって他のファクシミリ装置と接続されており、通常のファクシミリ通信が行えるようになっている。
【００３０】
ＰＣインタフェース部１２は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置１００（ＰＣインタフェース部１２）へ送信され、送信された画像データに応じた画像がファクシミリ複合装置１００（記録部３）にて用紙にプリントアウトされるようになっている。
【００３１】
本発明のファクシミリ複合装置１００では、ユーザによる読取モード選択キー５ａの選択操作によって、片面読取モードまたは両面読取モードのいずれかが選ばれ、片面読取モードが選択された場合には、読取部２にて原稿の表面の画像のみが読み取られ、両面読取モードが選択された場合には、読取部２にて原稿の表面及び裏面の画像が読み取られる。そして、原稿の両面（表面及び裏面）の画像が読み取られる場合、原稿搬送路２９に設けた１個の原稿センサ４４での原稿の先端の検知タイミングと第１パルスカウンタ２ａの計数値とを利用して、表面の読取開始タイミングを制御すると共に、裏面の読取開始タイミングを制御し、同じく１個の原稿センサ４４での原稿の後端の検知タイミングと第２パルスカウンタ２ｂの計数値とを利用して、表面の読取終了タイミングを制御すると共に、裏面の読取終了タイミングを制御する。
【００３２】
以下、動作について説明する。図３は、本発明のファクシミリ複合装置１００における原稿画像の両面読取処理の動作手順を示すフローチャートである。
【００３３】
読取り対象である両面画像の原稿の搬送を開始した後（ステップＳ１）、制御部１は、原稿センサ４４が原稿の先端を検知したか否かを判断する（ステップＳ２）。原稿の先端を検知した場合（Ｓ２：ＹＥＳ）、第１パルスカウンタ２ａの計数値Ｃを０に初期化してモータ３０の制御パルスの計数を開始する（ステップＳ３）。制御部１は、第１パルスカウンタ２ａの計数値Ｃが表面読取開始タイミングに応じた所定値Ｃ1 になったか否かを判断し（ステップＳ４）、なっていなければ（Ｓ４：ＮＯ）、動作がステップＳ６に進む。一方、計数値Ｃが所定値Ｃ1 に到達した場合には（Ｓ４：ＹＥＳ）、第１光学ユニット４０による表面の読取処理を開始して（ステップＳ５）、動作がＳ６に進む。
【００３４】
制御部１は、第１パルスカウンタ２ａの計数値Ｃが裏面読取開始タイミングに応じた所定値Ｃ2 になったか否かを判断し（Ｓ６）、なっていなければ（Ｓ６：ＮＯ）、動作がＳ４に戻る。一方、計数値Ｃが所定値Ｃ2 に到達した場合には（Ｓ６：ＹＥＳ）、第２光学ユニット５０による裏面の読取処理を開始する（ステップＳ７）。
【００３５】
次いで、制御部１は、原稿センサ４４が原稿の後端を検知したか否かを判断する（ステップＳ８）。原稿の後端を検知した場合（Ｓ８：ＹＥＳ）、第２パルスカウンタ２ｂの計数値Ｄを０に初期化してモータ３０の制御パルスの計数を開始する（ステップＳ９）。制御部１は、第２パルスカウンタ２ｂの計数値Ｄが表面読取終了タイミングに応じた所定値Ｄ1 になったか否かを判断し（ステップＳ１０）、なっていなければ（Ｓ１０：ＮＯ）、動作がステップＳ１２に進む。一方、計数値Ｄが所定値Ｄ1 に到達した場合には（Ｓ１０：ＹＥＳ）、第１光学ユニット４０による表面の読取処理を終了して（ステップＳ１１）、動作がＳ１２に進む。
【００３６】
制御部１は、第２パルスカウンタ２ｂの計数値Ｄが裏面読取終了タイミングに応じた所定値Ｄ2 になったか否かを判断し（Ｓ１２）、なっていなければ（Ｓ１２：ＮＯ）、動作がＳ１０に戻る。一方、計数値Ｄが所定値Ｄ2 に到達した場合には（Ｓ１２：ＹＥＳ）、第２光学ユニット５０による裏面の読取処理を終了する（ステップＳ１３）。
【００３７】
なお、上記所定値Ｃ1 ，Ｃ2 ，Ｄ1 ，Ｄ2 は、原稿センサ４４の設置位置、表面読取位置、裏面読取位置、原稿の種類（長さ）などに応じて予め決定されている。
【００３８】
上述した例では、モータ３０の制御パルスの計数値を用いて、表面及び裏面に対する読取開始／終了タイミングを制御するようにしたが、原稿の搬送速度は等速であるので、タイマを用いることも可能である。この場合には、原稿センサ４４にて原稿の先端または後端を検知したタイミングでタイマの計時動作を開始し、所定時間を経過した後に表面及び裏面に対する読取処理を開始または終了するようにすれば良い。
【図面の簡単な説明】
【００３９】
【図１】本発明のファクシミリ複合装置の構成を示すブロック図である。
【図２】本発明のファクシミリ複合装置の読取部の構成を示す概略図である。
【図３】本発明のファクシミリ複合装置における両面読取処理の動作手順を示すフローチャートである。
【符号の説明】
【００４０】
１  制御部
２  読取部
２ａ  第１パルスカウンタ
２ｂ  第２パルスカウンタ
７  ＲＯＭ
２０  ＡＤＦ
２５  レジストローラ
２９  原稿搬送路
３０  モータ
４０  第１光学ユニット
４４  原稿センサ
５０  第２光学ユニット
１００  ファクシミリ複合装置
【図１】
2005072761.tif 000003
【図２】
2005072761.tif 000004
【図３】
2005072761.tif 000005